(57)【特許請求の範囲】
【請求項１】
浴槽からの循環往路と浴槽への循環復路とからなる追い焚き循環回路と上水道からの水を加熱して給湯する給湯回路との２つの回路を１つのバーナで兼用して熱交換加熱する１缶２回路式熱交換缶体を設備し、前記給湯回路から分岐される風呂自動給湯路を三方弁を介して前記追い焚き循環回路の循環往路に接続するようにした風呂装置であって、前記三方弁を２方向切り換え及び３方向全開ができる三方弁とすると共に風呂自動給湯路を前記三方弁の手前の位置で循環復路にも接続し、更に風呂追い焚き運転時には前記三方弁を３方向全開にすると共に風呂自動給湯運転時には前記三方弁を風呂自動給湯路側と前記循環往路の浴槽側とが接続するように切り換え且つ風呂水位検出運転時には前記三方弁を前記循環往路の１缶２回路式熱交換缶体側と風呂自動給湯路側とが接続するように切り換える制御部を設けたことを特徴とする風呂装置。
【発明の詳細な説明】
【０００１】
【産業上の利用分野】
本発明は追い焚き循環回路の浴槽循環水の加熱の他に、一般給湯や風呂自動給湯を行うための給湯回路の水の加熱を兼用して行う１缶２回路式熱交換缶体を設備した風呂装置に関する。
【０００２】
【従来の技術】
図２は従来における風呂装置を備えた給湯設備の全体構成図である。この図２に沿って従来装置を以下に説明する。
図２において、１缶２回路式熱交換缶体１０に対して、浴槽２０からの循環往路３１と循環復路３２とからなる追い焚き循環回路３０と、上水道等からの水を加熱して給湯する給湯回路４０が導かれ、１缶２回路式熱交換缶体１０の１つの熱交換部１５で２つの回路の水が加熱されるようになされている。風呂の追い焚きは、浴槽水が循環ポンプ３３によって浴槽２０から循環往路３１を通って１缶２回路式熱交換缶体１０に入り、加熱されて循環復路３２を通って浴槽２０に戻ることで行われる。また前記給湯回路４０による給湯は、上水道等からの水が入水路４１を通って１缶２回路式熱交換缶体１０に入り、加熱されて出湯路４２に出湯されることで行われる。
前記給湯回路４０からは風呂自動給湯路５０が分岐され、三方弁５１を介して追い焚き循環回路３０の循環往路３１に接続されている。
風呂追い焚き運転時には、前記三方弁５１が浴槽２０側と１缶２回路式熱交換缶体１０側とを接続するように切り換えられ、これによって浴槽水が１缶２回路式熱交換缶体１０の熱交換部１５に導かれて加熱される。
また風呂自動給湯運転時には、前記三方弁５１が風呂自動給湯路５０側と１缶２回路式熱交換缶体１０側とを接続するように切り換えられ、これによって風呂自動給湯路５０から追い焚き循環回路３０の循環往路３１に入った温水は循環ポンプ３３によって１缶２回路式熱交換缶体１０を通り、循環復路３２を通って浴槽２０に導入される。また風呂自動給湯路５０から追い焚き循環回路３０の循環往路３１に入った温水の一部は、前記三方弁５１に付属の逆止弁付きバイパス５１ａ  を通って循環往路３１の浴槽２０側にも流れ、浴槽２０に導入される。
【０００３】
【発明が解決しようとする課題】
ところが上記従来の装置においては、風呂自動給湯運転を行う場合、風呂自動給湯路５０から追い焚き循環回路３０の循環往路３１に入った温水は循環ポンプ３３によって１缶２回路式熱交換缶体１０を通った後浴槽２０に導入されることから、既に給湯回路４０で一回加熱された風呂自動給湯温水が１缶２回路式熱交換缶体１０を通る際に再度加熱されることになり、その結果、浴槽への給湯温度が設定温度よりも高くなるという問題があった。
また風呂水位を追い焚き循環回路に設けた水位センサで検出しているときに、一般給湯等が開始されることで１缶２回路式熱交換缶体１０のバーナ１１がオンすると、１缶２回路式熱交換缶体１０での加熱による内圧変動や振動等が追い焚き循環回路内に伝わって、その影響を受けるため、正確な水位が検出不能となる問題があった。
また風呂の追い焚き単独運転を行う場合に、追い焚き循環回路３０を循環する水量に対して１缶２回路式熱交換缶体１０の温度上昇が十分でなく、このためドレンが発生する等の問題があった。
【０００４】
そこで本発明は、上記従来装置における欠点を解消し、風呂自動給湯運転の際には給湯温度が設定給湯温度を越えてしまうことなく所定の給湯設定温度の温水を確実に浴槽へ導入することができ、また１缶２回路式熱交換缶体側からの内圧変動等の影響を受けることなく正確に浴槽の水位検出を行うことができ、また風呂追い焚き運転の際に１缶２回路式熱交換缶体にドレンが発生し難い風呂装置の提供を目的とする。
【０００５】
【課題を解決するための手段】
上記目的を達成するため、本発明の風呂装置は、浴槽からの循環往路と浴槽への循環復路とからなる追い焚き循環回路と上水道からの水を加熱して給湯する給湯回路との２つの回路を１つのバーナで兼用して熱交換加熱する１缶２回路式熱交換缶体を設備し、前記給湯回路から分岐される風呂自動給湯路を三方弁を介して前記追い焚き循環回路の循環往路に接続するようにした風呂装置であって、前記三方弁を２方向切り換え及び３方向全開ができる三方弁とすると共に風呂自動給湯路を前記三方弁の手前の位置で循環復路にも接続し、更に風呂追い焚き運転時には前記三方弁を３方向全開にすると共に風呂自動給湯運転時には前記三方弁を風呂自動給湯路側と前記循環往路の浴槽側とが接続するように切り換え且つ風呂水位検出運転時には前記三方弁を前記循環往路の１缶２回路式熱交換缶体側と風呂自動給湯路側とが接続するように切り換える制御部を設けたことを特徴としている。
【０００６】
【作用】
上記本発明の特徴によれば、リモコン等により風呂追い焚き運転が指令されると、制御部によって三方弁が３方向全開になされる。よって浴槽水は追い焚き循環回路を通って１缶２回路式熱交換缶体で加熱され浴槽に戻るが、一部の浴槽水は追い焚き循環回路の循環往路から三方弁を介して風呂自動給湯路に入り、循環復路にバイパスし、そのまま浴槽に戻ることになる。よって浴槽から１缶２回路式熱交換缶体に循環する浴槽水の流量をそれだけ減少させることができるので、１缶２回路式熱交換缶体でのドレンの発生をし難くすることができる。
また風呂自動給湯運転が指令されると、制御部によって、風呂自動給湯路と追い焚き循環回路の循環往路との間に介装される三方弁が、風呂自動給湯路側と循環往路の浴槽側とが接続するように切り換えられる。これによって、給湯回路を通って風呂自動給湯用に加熱された温水が風呂自動給湯路から三方弁を通って循環往路の浴槽側に入り、そのまま循環往路を浴槽側に流れて、浴槽に導入される。また風呂自動給湯路の温水の一部は三方弁の手前の位置から循環復路に流れ込み、浴槽に導入される。即ち、風呂自動給湯路からの温水は両搬送でスムーズに、且つ１缶２回路式熱交換缶体で再加熱されることなく設定温度通りの温度で浴槽に導入される。また風呂自動給湯運転時に温水は風呂自動給湯路から三方弁を介して循環往路の浴槽側に入るので、上記従来装置で設けていた三方弁に付属の逆止弁付きバイパスが不要となり、コストダウンになると共に前記逆止弁付きバイパス路を通って浴槽側から１缶２回路式熱交換缶体側へ無理やりに回り込む温水も確実に防止することができる。
また風呂水位検出運転時には、制御部によって、前記三方弁が前記循環往路の１缶２回路式熱交換缶体側と風呂自動給湯路側とが接続するように切り換えられる。これによって１缶２回路式熱交換缶体で加熱が行われている場合でも、その加熱による内圧変動や振動が循環往路を三方弁を越えて浴槽側に影響してくるのが防止され、浴槽水位センサが循環往路の三方弁よりも浴槽側に配置されることで、正確な浴槽水位を検出することが可能となる。
【０００７】
【実施例】
以下に本発明を実施例に基づいて説明する。
図１は本発明の風呂装置を備えた給湯設備の全体構成図である。
【０００８】
図１において、給湯設備は１缶２回路式熱交換缶体１０を設備し、該缶体１０には浴槽２０からの追い焚き循環回路３０と、上水道からの水を加熱して供給する給湯回路４０とが導入されている。
前記１缶２回路式熱交換缶体１０には、バーナ１１と、該バーナ１１に空気を供給する送風器１２、点火器１３、石油等の燃料を供給するための２つのポンプＰとその間に配置されるインジェクターＩＪとバイパス弁ＳＶ等からなる燃料供給手段１４が設けられ、また缶体１０内には追い焚き循環回路３０を通って導かれた水の加熱と給湯回路４０を通って導かれた水の加熱を兼用して行う１つの熱交換部１５が設けられている。
前記浴槽２０にはその下側部に循環金具２１が設けられ、該循環金具２１から追い焚き循環回路３０が缶体１０に延設されている。
【０００９】
前記追い焚き循環回路３０は、浴槽２０から缶体１０への循環往路３１と缶体１０から浴槽２０への循環復路３２とからなり、循環往路３１には三方弁５２よりも缶体１０側に循環ポンプ３３、水流スイッチ３４、浴槽温度センサ３５が設けられ、三方弁５２よりも浴槽２０側に浴槽水位センサ３６が設けられている。浴槽水位センサ３６は浴槽水位に応じて加わる水圧をとらえて水位を検出する。
前記給湯回路４０は、入水路４１と、出湯路４２と、出湯路４２から分岐される一般給湯路４３と風呂自動給湯路５０と、前記入水路４１から出湯路４２へバイパスするバイパス路４５とからなる。バイパス路４５にはバイパス流量を調節する流量調節弁４５ａ  が設けられている。
前記入水路４１には前記バイパス路４５の分岐点よりも下流位置に水量センサ４１ａと、入水温度センサ４１ｂ  と、水流スイッチ４１ｃ  とが設けられている。
前記出湯路４２には出湯温度センサ４２ａ  と、前記バイパス路４５の接続点より下流位置に給湯温度センサ４２ｂ  、過流出防止器４２ｃ  とが設けられている。
前記風呂自動給湯路５０は、その先端で三方弁５２を介して前記追い焚き循環回路３０の循環往路３１に接続されている。また風呂自動給湯路５０は前記三方弁５２の手前の位置の接続点Ｘで前記追い焚き循環回路３０の循環復路３２にも接続されている。風呂自動給湯路５０には水量センサ５３と、落とし込み弁５４と、落とし込みホッパ５５とが設けられている。
制御部６０は、マイコンを内蔵し、装置各部のセンサ類からの情報を受け、またリモコン７０からの指令に基づいて、制御プログラムに従って所定の演算、判定を行い、装置各部に所定の動作指令を行う。
【００１０】
前記三方弁５２は２方向切り換え及び３方向全開ができる三方弁としている。そして上記制御部６０による三方弁５２の切り換え制御機構は、風呂追い焚き運転時には三方弁５２を３方向全開にする制御機構とし、風呂自動給湯運転時には三方弁５２を風呂自動給湯路５０側と循環往路３１の浴槽２０側とが接続するように切り換える制御機構とし、且つ風呂水位検出運転時には三方弁５２を循環往路３１の１缶２回路式熱交換缶体１０側と風呂自動給湯路５０側とが接続するように切り換える制御機構としている。
【００１１】
今、リモコン７０等により、風呂追い焚き運転が指令されると、制御部６０は、三方弁５２を３方向全開にし、次いで循環ポンプ３３をオンする。これによって浴槽水が追い焚き循環回路３０を流れると水流スイッチ３４がオンし、１缶２回路式熱交換缶体１０のバーナ１１が燃焼を開始する。浴槽水は循環往路３１から１缶２回路式熱交換缶体１０に循環して加熱され、循環復路３２を通って浴槽２０に戻るが、一部の浴槽水は循環往路３１から三方弁５２を介して風呂自動給湯路５０に入り、追い焚き循環回路３０との接続点Ｘから循環復路３２にバイパスし、そのまま浴槽２０に戻ることになる。よって浴槽から１缶２回路式熱交換缶体１０に循環する浴槽水の流量がそれだけ減少し、１缶２回路式熱交換缶体１０でのドレンの発生を抑制することができる。
【００１２】
また風呂自動給湯運転が指令されると、制御部６０は、三方弁５２を風呂自動給湯路５０側と循環往路３１の浴槽２０側とが接続するように切り換え、次いで風呂自動給湯路５０の落とし込み弁５４を開放する。これによって上水道から水が給湯回路４０の入水路４１に流れ、これによって水流スイッチ４１ｃ  がオンすると、バーナ１１の燃焼を開始する。給湯回路４０を通って１缶２回路式熱交換缶体１０の熱交換部１５で加熱された温水は、出湯路４２から風呂自動給湯路５０を通って供給される。風呂自動給湯路５０の温水は落とし込みホッパ５５を経て、一部は追い焚き循環回路３０の接続点Ｘから循環復路３２に流れ込み、浴槽２０へ導入される。また残りは三方弁５２を経て追い焚き循環回路３０の循環往路３１の浴槽２０側に流れ込み、浴槽２０に導入される。これによって風呂自動給湯路５０からの温水は両搬送でスムーズに、且つ１缶２回路式熱交換缶体１０で再加熱されることなく設定給湯温度通りの温度で浴槽２０に導入することができる。また風呂自動給湯運転時に温水は風呂自動給湯路５０から三方弁５２を介して循環往路３１の浴槽２０側に入るので、上記従来装置で設けていた三方弁５１に付属の逆止弁付きバイパス５１ａ  が不要となり、コストダウンになる。
【００１３】
また風呂水位検出運転時には、制御部６０は、三方弁５２を前記循環往路３１の１缶２回路式熱交換缶体１０側と風呂自動給湯路５０側とが接続するように切り換える。
これによって浴槽水位センサ３６のある浴槽２０側の循環往路３１が三方弁５２によって１缶２回路式熱交換缶体１０側の循環往路３１と縁切りされる。よって、水位検出中に一般給湯等のカランが開放され、給湯運転が開始されることによってバーナ１１の燃焼が行われても、三方弁５２よりも浴槽２０側にある前記浴槽水位センサ３６が１缶２回路式熱交換缶体１０側に生じた水圧変動の影響を受けるのを防止することができ、正確な浴槽水位を検出することが可能となる。
【００１４】
【発明の効果】
本発明は以上の構成よりなり、請求項１に記載の風呂装置によれば、風呂自動給湯路と風呂追い焚き循環回路の循環往路との間に介装される三方弁を２方向切り換え及び３方向全開ができる三方弁とすると共に風呂自動給湯路を前記三方弁の手前の位置で循環復路にも接続し、更に風呂追い焚き運転時には前記三方弁を３方向全開にすると共に風呂自動給湯運転時には前記三方弁を風呂自動給湯路側と前記循環往路の浴槽側とが接続するように切り換え且つ風呂水位検出運転時には前記三方弁を前記循環往路の１缶２回路式熱交換缶体側と風呂自動給湯路側とが接続するように切り換える制御部を設けたので、
風呂追い焚き運転時においては、浴槽水の一部を循環往路から三方弁、風呂自動給湯路を介して循環復路にバイパスし、そのまま浴槽に戻すことができ、よって浴槽から１缶２回路式熱交換缶体に循環する浴槽水の流量をそれだけ減少させることができ、１缶２回路式熱交換缶体でのドレンの発生を抑制することができる。
また風呂自動給湯運転時においては、風呂自動給湯路からの温水を、１缶２回路式熱交換缶体で再加熱がなされることなく、設定給湯温度通りの温度で浴槽に導入することができる。また両搬送により十分な流量でスムーズに浴槽に導入することができる。その他、温水を三方弁を介して循環往路の浴槽側に入れることができるので、従来装置で設けていた三方弁に付属の逆止弁付きバイパスが不要となり、コストダウンになる。
また風呂水位検出運転時においては、循環往路の１缶２回路式熱交換缶体側を風呂自動給湯路側と接続し、循環往路の浴槽側とは縁切りすることができるので、水位検出中に一般給湯等のカランが開放され、給湯運転が開始されることによってバーナの燃焼が行われても、前記浴槽水位センサが１缶２回路式熱交換缶体側に生じた水圧変動の影響を受けるのを防止することができ、正確な浴槽水位を検出することが可能となる。
【図面の簡単な説明】
【図１】本発明の風呂装置を備えた給湯設備の全体構成図である。
【図２】従来の風呂装置を備えた給湯設置の全体構成図である。
【符号の説明】
１０  １缶２回路式熱交換缶体
１１  バーナ
１５  熱交換部
２０  浴槽
３０  追い焚き循環回路
３１  循環往路
３２  循環復路
３３  循環ポンプ
３６  浴槽水位センサ
４０  給湯回路
５０  風呂自動給湯路
５２  三方弁
６０  制御部
【図１】
0003551531.tif 000002
【図２】
0003551531.tif 000003